(57)【要約】【課題】送信側にて付加した機器識別情報に基づきアンテナの指向性を制御することにより、希望する送信信号を効率的に受信し、かつ、干渉波となる他局の信号の受信を抑制することができる伝送装置の実現。【解決手段】直交周波数分割多重方式で変調されたＯＦＤＭ信号を送受信する伝送装置において、送信側では送信信号に送信側を特定する識別情報を付加して送信し、受信側では、受信信号から抽出される識別情報の状態に応じ、受信アンテナの指向性を制御するもので、この制御により干渉波の受信を抑制することができる。【選択図】  図１
2007251739.tif 000002
【特許請求の範囲】
【請求項１】
直交周波数分割多重方式で変調されたＯＦＤＭ信号を送受信する伝送装置において、送信側では送信信号に送信側を特定する識別情報を付加して送信し、受信側では、受信信号から抽出される識別情報の状態に応じ、受信アンテナの指向性を制御することを特徴とする伝送装置のアンテナ制御方法。
【請求項２】
請求項１の伝送装置のアンテナ制御方法において、送信側で付加する識別情報を、ＯＦＤＭ信号のＴＭＣＣの余剰領域に付加し、少なくとも受信側で受信すべき信号の識別情報を抽出した場合、当該受信信号に対する受信アンテナの指向性を高める制御を行うことを特徴とする伝送装置のアンテナ制御方法。
【請求項３】
請求項１の伝送装置のアンテナ制御方法において、送信側で付加する識別情報を、ＯＦＤＭ信号のＡＣの余剰領域に付加し、少なくとも受信側で受信すべき信号の識別情報を抽出した場合、当該受信信号に対する受信アンテナの指向性を高める制御を行うことを特徴とする伝送装置のアンテナ制御方法。
【発明の詳細な説明】
【技術分野】
【０００１】
本発明は、直交周波数分割多重(ＯＦＤＭ：Orthogonal Frequency Divisional Multi- plexing)変調方式を用いたデータ伝送装置のアンテナ制御方法に関する。
【背景技術】
【０００２】
近年、移動体向けデジタル伝送や、地上系デジタルテレビジョン放送への応用に適した変調方式として、マルチパスフェージングやゴーストに強いという特徴のある直交周波数分割多重変調方式(以下、ＯＦＤＭ方式と称す)が注目を浴びている。  ＯＦＤＭ方式は、マルチキャリア変調方式の一種であって、互いに直交するｎ本(ｎは数十〜数千)の搬送波(キャリア)にそれぞれデジタル変調を施した伝送方式である。ＯＦＤＭ信号を構成するキャリアには、データキャリア、ＳＰ(Scattered Pilot)、ＣＰ(Continual Pilot)、ＴＭＣＣ(Transmission and Multiplexing Configration Control)、ＡＣ(Auxiliary Channel)がある。ＳＰおよびＣＰは受信機の同期や復調に用いる信号である。ＴＭＣＣは変調方式や制御情報を伝送するために用いる信号である。また、ＡＣは付加情報を伝送するための信号である。各キャリアのデジタル変調にはＤＱＰＳＫなどの変調方式が用いられ、合成した波形がＯＦＤＭ波となる。
【０００３】
ここで、各種イベントや事故等の中継のため、隣接地域において映像中継を行う場合、同一のチャンネルを使用した複数の放送局(送信機器)が存在すると、受信すべき希望局からの信号と同一チャンネルの放送を行う他の放送局からの信号(干渉波)を受信しその影響を受けることがある。従来では、送信側において、ＴＭＣＣの未使用領域を利用して送信側の機器識別情報(局ＩＤ等)を付加し、受信装置にて機器判別を行う運用形態が提案されている(特許文献１)。以下、このようなＯＦＤＭ波を用いた伝送装置の従来例について説明する。
【０００４】
送信装置について図２を用いて説明する。伝送するデータ(ＴＳＰ：Transport Stream Packet)は符号化部２１に入力される。ここでは伝送時においてデータに誤りを生じても訂正できるように、畳み込み符号やインターリーブといった信号処理を行う。マッピング２２では、符号化部２１より出力された信号をＩ，Ｑ軸の所定点の情報に変換してフレーム構成部２３に入力する。また、例えば、パイロット(ＣＰ、ＳＰ)はＢＰＳＫ信号、ＴＭＣＣとＡＣはＤＢＰＳＫ信号として変調された後フレーム構成部２３に入力される。フレーム構成部２３では、データやＳＰなどの信号を規格にあった順序で各サブキャリアに割り当ててＩＦＦＴ２４に信号を入力する。ＩＦＦＴ２４ではＩ、Ｑ軸の信号を逆フーリエ変換して時間軸の波形にし、ガード付加部２４にてガードインターバル部分を付加してデータのシンボルを生成する。その後、直交変調部２６、Ｄ／Ａ２７、アンプコンバータ２８を経由して信号を送信する。
【０００５】
図３は従来の受信装置の例である。送信装置から送信された信号は、ダウンコンバータ１１にてＩＦ信号に変換され、Ａ／Ｄ１２でデジタル信号に変換される。その後、直交復調部１３にてベースバンド信号のＩ軸信号、Ｑ軸信号にされてＦＦＴ１４に入力される。ＦＦＴ１４にてＦＦＴ演算された信号は復調部１５で復調される。復調部１５に入力された信号から先ずＴＭＣＣを復調する。ＴＭＣＣを復調することでデータの変調方式，畳み込み符号化率，インターリーブなどの情報を再生し、その結果を基にデータを復調する。復調されたデータは復号化部１６へ入力されＴＰＳに復元される。また、復調部１５ではＴＭＣＣより機器識別情報を再生し、機器判別部３０にて送信信号の識別を行う。識別された結果は、受信した機器識別情報に応じた送信装置名(送信局)の表示や、信号の受信状況を把握するために使用している。
【特許文献１】特開２００３−３０９５３６公報
【特許文献２】特開平１０−２００４５８号公報
【発明の開示】
【発明が解決しようとする課題】
【０００６】
ここで、ある放送局(親局)から送信された信号(番組プログラム)を受信して再送信する中継放送を例として考える。中継放送は親局Ａから送信されたプログラムを受信し、電力増幅やチャンネル変更をした後に次段の中継放送所や一般家庭にプログラムを送信する。しかし、前述のように、中継放送所の場所によっては、親局Ａの信号の他に親局Ｂの信号が受信されることがある。親局Ａと親局Ｂの送信信号が同一チャンネルで同じプログラムを送信し、かつガードインターバル内の遅延である場合は問題ないが、親局Ａと親局Ｂの送信信号が異種プログラムの場合は、親局Ｂの受信信号が干渉波として受信されてしまうことになる。ここで、前述の従来例のようにＴＭＣＣによる機器判別だけを用いて干渉波を避けようとすると、アンテナの方向を調整する、指向性の違うアンテナと取り替えるといったように容易に対策ができない問題がある。
本発明はこれらの欠点を除去し、送信側にて付加した機器識別情報に基づきアンテナの指向性を制御することにより、希望する送信信号を効率的に受信し、かつ、干渉波となる他局の信号の受信を抑制することができる伝送装置の実現を目的とする。
【課題を解決するための手段】
【０００７】
本発明は上記目的を達成するため、直交周波数分割多重方式で変調されたＯＦＤＭ信号を送受信する伝送装置において、送信側では送信信号に送信側を特定する識別情報を付加して送信し、受信側では、受信信号から抽出される識別情報の状態に応じ、受信アンテナの指向性を制御するようにしたものである。
また、送信側で付加する識別情報を、ＯＦＤＭ信号のＴＭＣＣの余剰領域に付加し、少なくとも受信側で受信すべき信号の識別情報を抽出した場合、当該受信信号に対する受信アンテナの指向性を高める制御を行うようにしたものである。
また、送信側で付加する識別情報を、ＯＦＤＭ信号のＡＣの余剰領域に付加し、少なくとも受信側で受信すべき信号の識別情報を抽出した場合、当該受信信号に対する受信アンテナの指向性を高める制御を行うようにしたものである。
【発明の効果】
【０００８】
本発明によれば、送信側にて付加した送信側を特定する識別情報に基づきアンテナの指向性を制御することにより、希望する送信信号を効率的に受信し、かつ、干渉波となる他局の信号の受信レベルを低くすることができ、干渉波の受信を抑制することができる。
【発明を実施するための最良の形態】
【０００９】
以下、本発明について、図１に示す一実施形態のブロック図により詳細に説明する。
送信装置は従来例(図２)と同様の構成を用いるので説明を省略する。  受信装置では、送信装置にてＴＭＣＣの未使用領域／未定義領域(余剰領域)に機器(局)等を特定する識別情報を付加した送信信号をアンテナ１０で受信する。ここで、アンテナ１０は、アンテナ指向性制御が可能なもの、例えば、指向性制御アレーアンテナを使用する。
受信した信号は、ダウンコンバータ１１にてＩＦ信号に変換され、Ａ／Ｄ１２でデジタル信号に変換される。その後、直交復調部１３にてベースバンド信号のＩ軸信号、Ｑ軸信号にされて、ＦＦＴ１４に入力される。ＦＦＴ１４にてＦＦＴ演算された信号は復調部１５で復調される。復調部１５に入力された信号から先ずＴＭＣＣを復調する。ＴＭＣＣを復調することでデータの変調方式，畳み込み符号化率，インターリーブなどの情報を再生し、その結果を基にデータを復調する。復調されたデータは復号化部１６へ入力されＴＰＳに復元される。
また、復調部１５ではＴＭＣＣを抽出し、機器識別情報を再生し、機器判別部１７にて送信信号の識別を行う。
【００１０】
識別した結果は、アンテナ１０の指向性制御回路１０ａに入力される。指向性制御回路１０ａでは、図４に示すように、希望局(受信すべき信号：希望波)の機器判別情報が受信される方向に指向性を大きくし、反対に他局の機器判別情報が受信される方向、または希望局の機器判別情報が受信できない方向には指向性を小さくするようなアンテナ指向性の制御を行う。なお、指向性を大きくする方向と小さくする方向を両方満足できない場合にはどちらかを優先するような制御を行う。
上記実施例では、機器識別情報をＴＭＣＣの未使用領域に付加したが、本発明はこれに限定されず、ＡＣの未使用領域に割り当てるようにしても、良いことは言うまでもない。この場合、ＡＣは復調部１５にて復調されるので、その情報を機器判別部１７に入力して、ＴＭＣＣのときと同じように制御を行うことで、同様の効果が得られる。
【図面の簡単な説明】
【００１１】
【図１】本発明による一実施例の構成を示すブロック図
【図２】従来例の送信装置の構成を示すブロック図
【図３】従来例の受信装置の構成を示すブロック図
【図４】本発明におけるアンテナの指向性制御の一例を示す図
【符号の説明】
【００１２】
１０：アンテナ、１０ａ：指向性制御回路、１１：ダウンコンバータ、１２：Ａ／Ｄ、１３：直交復調部、１４：ＦＦＴ、１５：復調部、１６：復号化部、１７：機器判別部、２１：符号化部、２２：マッピング回路、２３：フレーム構成部、２４：ＩＦＦＴ、２５：カード付加部、２６：直交復調部、２７：Ｄ／Ａ、２８：アップコンバータ。
【図１】
2007251739.tif 000003
【図２】
2007251739.tif 000004
【図３】
2007251739.tif 000005
【図４】
2007251739.tif 000006